(57)【要約】プルダウン水栓またはプルアウト水栓用の濾過システムがスプレイヘッドに流体連結するように構成されたマルチチャネルホースと、濾過水を提供するように構成された水フィルタと、ダイバータ装備Ｔ字コネクタと、を含んでいる。Ｔ字コネクタは未濾過水を水栓のバルブカートリッジから受容するように構成される第１のブランチと、濾過水を水フィルタから受容するように構成される第２のブランチと、濾過水および未濾過水を第１のブラインチおよび第２のブランチからマルチチャネルホースの異なるチャネルに送出するように構成された第３のブランチと、を有する。スプレイヘッドは、また、濾過水および未濾過水の選択出水がスプレイヘッドからできるように構成されたスイッチを含んでいる。
2018537602.tif 000002
【特許請求の範囲】
【請求項１】
水栓であって、
スパウトと、
スプレイヘッドと、
前記スプレイヘッドに流体連結され、前記スパウト内に配置されたマルチチャネルホースと、
未濾過水の流れを制御するように構成されたバルブカートリッジと、
濾過水を提供するように構成された水フィルタと、
未濾過水を前記バルブカートリッジから受容するように構成された第１のブランチと、濾過水を前記水フィルタから受容するように構成された第２のブランチと、前記濾過水および前記未濾過水を前記第１のブランチおよび前記第２のブランチから前記マルチチャネルホースの異なるチャネルに送出するように構成された第３のブランチと、を有するコネクタと、を備える、ことを特徴する水栓。
【請求項２】
前記マルチチャネルホースの前記チャネルが互いに中心が同じである、ことを特徴する請求項１に記載の水栓。
【請求項３】
前記バルブカートリッジに流体連結され、未濾過水を前記第１のブランチに送出するように構成された混合水ホースをさらに備える、ことを特徴する請求項１に記載の水栓。
【請求項４】
前記マルチチャネルホースが濾過水チャネルおよび未濾過水チャネルを備え、前記第３のブランチが未濾過水を前記第１のブランチから前記未濾過水チャネルに送出するように構成され、および濾過水を前記第２のブランチから前記濾過水チャネルに送出するように構成される、ことを特徴する請求項１に記載の水栓。
【請求項５】
前記コネクタの前記第３のブランチが、前記マルチチャネルホースの前記濾過水チャネルに流体連結するように構成された濾過水の通路と、前記マルチチャネルホースの前記未濾過水チャネルに流体連結するように構成された未濾過水の通路と、を備える、ことを特徴する請求項４に記載の水栓。
【請求項６】
前記濾過水の通路および前記未濾過水の通路が互いに中心が同じである、ことを特徴する請求項５に記載の水栓。
【請求項７】
前記スプレイヘッドが濾過水路および未濾過水路を備え、前記濾過水路が前記マルチチャネルホースの前記濾過水チャネルに流体連結され、前記未濾過水路が前記マルチチャネルホースの前記未濾過水チャネルに流体連結される、ことを特徴する請求項４に記載の水栓。
【請求項８】
前記スプレイヘッドが濾過水および未濾過水の選択出水が前記スプレイヘッドからできるように構成されたアクティベーションデバイスをさらに備える、ことを特徴する請求項７に記載の水栓。
【請求項９】
スイッチが第１の位置にあるとき、前記濾過水路から濾過水だけが前記スプレイヘッドから出水され、かつ、前記スイッチが第２の位置にあるとき、前記未濾過水路から未濾過水だけが前記スプレイヘッドから出水されるように、前記デバイスが前記第１の位置および前記第２の位置を占有するように構成されたスイッチである、ことを特徴する請求項８に記載の水栓。
【請求項１０】
前記アクティベーションデバイスがばね仕掛けである、ことを特徴する請求項８に記載の水栓。
【請求項１１】
前記コネクタが水制御ダイバータを備える、ことを特徴する請求項１に記載の水栓。
【請求項１２】
（ｉ）未濾過水が前記第１のブランチに前記バルブカートリッジから入らず、および（ｉｉ）前記第２のブランチ内の濾過水が第３のブランチに進むことを制限されるように、前記バルブカートリッジがアクティベーションされていないとき、前記ダイバータが閉鎖位置をとるように構成される、ことを特徴する請求項１１に記載の水栓。
【請求項１３】
（ｉ）未濾過水が前記第１のブランチに前記バルブカートリッジから入り、かつ前記第３のブランチに進み、および（ｉｉ）前記第２のブランチ中の濾過水が第３のブランチに進むように、前記バルブカートリッジがアクティベーションされているとき、前記ダイバータが開放位置をとるように構成される、ことを特徴する請求項１１に記載の水栓。
【請求項１４】
前記水栓はプルアウトタイプおよびプルダウンタイプの１つである、ことを特徴する請求項１に記載の水栓。
【請求項１５】
前記バルブカートリッジが温水源および冷水源からの水を混合することによって未濾過水の流れを制御するように構成される、ことを特徴する請求項１に記載の水栓。
【請求項１６】
前記水フィルタが前記冷水源から未濾過水を処理することによって濾過水を提供するように構成される、ことを特徴する請求項１５に記載の水栓。
【請求項１７】
プルダウン水栓用の濾過システムであって、前記水栓がスパウトと、スプレイヘッドと、未濾過水の流れを制御するように構成されたバルブカートリッジと、を有し、前記システムが、
前記スプレイヘッドに流体連結するように構成されたマルチチャネルホースと、
濾過水を提供するように構成された水フィルタと、
未濾過水を前記バルブカートリッジから受容するように構成された第１のブランチと、濾過水を前記水フィルタから受容するように構成された第２のブランチと、濾過水および未濾過水を前記第１のブランチおよび前記第２のブランチから前記マルチチャネルホースの異なるチャネルに送出するように構成された第３のブランチと、を有するコネクタと、を備える、ことを特徴するシステム。
【請求項１８】
前記マルチチャネルホースの前記チャネルが互いに中心が同じである、ことを特徴する請求項１７に記載のシステム。
【請求項１９】
前記マルチチャネルホースが濾過水チャネルおよび未濾過水チャネルを備え、前記第３のブランチが、前記第１のブランチから前記未濾過水チャネルに未濾過水を送出するように構成され、かつ前記第２のブランチから前記濾過水チャネルに濾過水を送出するように構成される、ことを特徴する請求項１７に記載のシステム。
【請求項２０】
前記コネクタの前記第３のブランチが、前記マルチチャネルホースの前記濾過水チャネルに流体連結するように構成された濾過水の通路と、前記マルチチャネルホースの前記未濾過水チャネルに流体連結するように構成された未濾過水の通路と、を備える、ことを特徴する請求項１９に記載のシステム。
【請求項２１】
前記スプレイヘッドが、
前記マルチチャネルホースの前記濾過水チャネルに流体連結するように構成された濾過水路と、
前記マルチチャネルホースの前記未濾過水チャネルに流体連結するように構成された未濾過水路と、
スイッチが第１の位置にあるとき、前記濾過水路から濾過水だけが前記スプレイヘッドから出水され、かつ、前記スイッチが第２の位置にあるとき、前記未濾過水路から未濾過水だけが前記スプレイヘッドから出水されるように、前記第１の位置および前記第２の位置を占有するように構成されたスイッチを有するアクティベーションデバイスと、を備える、ことを特徴する請求項１９に記載のシステム。
【請求項２２】
前記コネクタがダイバータを備え、前記ダイバータが
（ｉ）未濾過水が前記第１のブランチに前記バルブカートリッジから入らず、および（ｉｉ）前記第２のブランチ中の濾過水が第３のブランチに進むことを制限されるように、前記バルブカートリッジがアクティベーションされていないとき、閉鎖位置をとるように構成され、および
（ｉ）未濾過水が前記第１のブランチに前記バルブカートリッジから入り、かつ前記第３のブランチに進み、および（ｉｉ）前記第２のブランチ中の濾過水が第３のブランチに進むように、前記バルブカートリッジがアクティベーションされているとき、開放位置をとるように構成される、ことを特徴する請求項１７に記載のシステム。
【発明の詳細な説明】
【技術分野】
【０００１】
［関連仮出願の相互参照］
本願は、２０１５年１０月８に出願された米国仮特許出願第６２／２３８，９１０号の利点を請求し、この特許の開示内容は、参照によって本願にその全体が組み込まれるものとする。
【０００２】
［著作権表示］
この特許文献の開示の一部には、著作権の保護対象となる資料が含まれている。著作権者は、この特許出願の手続きの考慮に関連した使用のためにただ、米国特許商標庁の特許ファイルまたは記録に現れたとき、特許文書または特許開示のファクシミリ複製に異論を唱えないが、他の点については、全ての著作権を保有する。
【０００３】
［技術分野］
本発明は、一般に水栓組立体および濾過組立体の双方を有する新たな配管の取り付け具の実施形態に関連する。
【背景技術】
【０００４】
水栓は、熱水、冷水または混合水を給水（水道水または井戸水のような）からユーザに送出するという基本的な目的を有する至る所にある配管製品である。いくつかの水栓、特に、キッチン用水栓は、プルダウンまたはプルアウトスプレイ機構に特徴があり、それらの機構は、出水の指示において、ユーザに、より柔軟性を提供する。水道水および井戸水は、風味、外観、および水の安全性に影響を及ぼし得る、塩素、および他の汚染物質のような不純物をしばしば含むので、人々は、水濾過デバイスを設置することをしばしば選択し、それらの水を浄化する。しかしながら、従来の濾過デバイスは、シンクにアクセスすることを制限するか、またはシンクデッキ下にアクセスすることを制限する、水栓スパウトに据え付けられ、および、高価なデッキ不動産を占める、主水栓から独立したサイド水栓に連結される。これらの濾過デバイスは、また、プルアウト水栓タイプと両立しない。
【発明の概要】
【０００５】
概して、従来の水栓濾過デバイスと関連する上述の不利益を克服する、一体化濾過組立体を有する、改善された配管の取り付け具、特にプルアウト水栓を提供することが本発明の目的である。
【０００６】
本発明の実施形態によれば、一体化水栓濾過システムは、水栓組立体、および水濾過組立体を含んでいる。水栓組立体は、水栓本体、スパウト、バルブ組立体、および、スパウトおよび本体を通るマルチチャネル（例えば、ツーインワン）流体ホースに流体連結された、プルアウトスプレイヘッドまたはプルダウンスプレイヘッドを含んでいる。マルチチャネルホースは、スプレイヘッドの引き出し、および格納の間に、それがスパウトに容易に出入りすることを可能にする柔軟な材料で作製され得る。
【０００７】
バルブ組立体は、カートリッジ、マニホールド、温水給水ホース、冷水給水ホース、混合水道水ホース、および、冷水源に流体接続可能な第１のブランチ、冷水給水ホースの入力端部に流体連結された第２のブランチ、および濾過組立体のフィルタ組立体の入水口に流体連結された第３のブランチを有するＴ字片（つまり、Ｔ字コネクタ）を含んでいる。
【０００８】
マルチチャネルホースは、２つの中心が同じである層を有する。内部層は、濾過水用の水路を提供し、および内部層および外部層の間のトンネルは、未濾過水用の水路を形成する。スプレイヘッドは、濾過水および未濾過水をマルチチャネルホースから受容するための補足的なトンネルを有する。これらのトンネルは、スプレイヘッド（マルチチャネルホースに連結する）の受け部から、スプレイヘッドを通り、２つの水タイプの分配を分離するためのスプレイヘッドの補足的な出口に延びる。一実施形態によれば、マルチチャネルホースは、スプレイヘッドの受け部に連結するボンネットを含んでいる。ボンネットは、マルチチャネルホースおよびスプレイヘッドの間の接続をシールする、１以上のシール構成要素を含み得る。
【０００９】
水濾過組立体は、フィルタ組立体（ヘッドおよび本体を含む）、フィルタ組立体の上流に設置された圧力調節器（例えば、フィルタ特性を最適にするようにライン圧力を調節するため）、接続ホース、およびフィルタ組立体の下流に位置するダイバータ装備Ｔ字片（ダイバータ装備Ｔ字コネクタ）を含んでいる。ダイバータ装備Ｔ字コネクタは、出口ホース経由で、フィルタの出水に流体連結された第１のブランチ、バルブ組立体から至る混合水道水ホースの出水端部に流体連結された第２のブランチ、およびマルチチャネル流体ホースの入水端部で濾過水路および未濾過水路に流体連結された（補足的なトンネルを介して）第３のブランチを含んでいる。マルチチャネルホースは、ダイバータ装備Ｔコネクタの第３のブランチに連結する（例えば、マルチチャネルホースとスプレイヘッドの間のコネクタのそれと同様の方法で）、別のボンネットを含んでいる。
【００１０】
ダイバータ装備Ｔ字コネクタは、濾過水（フィルタ組立体によって出水）、および未濾過水（混合水道水ホースから）を通すための補足的な水路を含んでいる。分流機構は、バルブ組立体カートリッジと相互作用する、ばね前負荷ピストンからなり、および開放状態および閉鎖状態を占め得る。カートリッジが閉鎖されるとき、濾過水の圧力は、ばね力に打ち勝つことができ、ピストンは、濾過水および未濾過水の双方をダイバータ装備Ｔ字コネクタ内において各々の水路に入ることからブロックし、および水がそこから出水しない。カートリッジが開放のとき、混合水道水ホース内の圧力（濾過水からに加えて）は、ばね力に打ち勝ち、かつピストンを押し、マルチチャネルホース内に濾過水および未濾過水の双方の通過のためにダイバータ装備Ｔ字コネクタ内において２つの水路を開放する。
【００１１】
一実施形態によれば、スプレイヘッドは濾過水出口および未濾過水用の２つの分離出口−通気出口およびシャワー出口に備えられる。スプレイヘッドは、通気出口とシャワー出口の間に未濾過水の排出を選択的に向きを変える、スイッチ（例えば、スプレイヘッドの前方、後方、または側方部分に配置されるトグルスイッチ）を含んでいる。スプレイヘッドは、スプレイヘッドからの濾過水の出水を制御する、スイッチ（例えば、ボタン、レバー、ノブ等）を付加的に、または代替的に含んでいる。２つのスイッチは、２つのタイプの水が同時に出水することができないように相互作用する（例えば、１以上のインターフェイス構成成分を介して）。一実施形態において、濾過水および未濾過水（ダイバータ装備Ｔ字コネクタから）はスプレイヘッド内に連続的に存在し得、およびスイッチは、スプレイヘッドからの２つのタイプの水の出水を制御だけする。
【００１２】
さらに、本発明の他の物および利点は、一部、明らかであろうし、および、一部、開示から明らかになるだろう。
【００１３】
したがって、本発明は、本明細書に記載された構造で例示されるような全てである、構造の特徴、要素の組合、およびパーツの配置を含み、および本発明の範囲は、請求項に示されるだろう。
【図面の簡単な説明】
【００１４】
本発明は、添付図面に示された代表的な実施形態に関連して以下の詳細の中で述べられる。
【００１５】
【図１】図１は本発明の実施形態に従う、一体化濾過システムを有する代表的な水栓の前方図である。
【図２】図２は本発明の実施形態に従う、一体化水栓濾過システム内の濾過水および未濾過水の流れを示す概略図である。
【図３】図３は本発明の実施形態に従う、マルチチャネルホースの断面図である。
【図４】図４および図５は本発明の実施形態に従う、ドッキング位置およびドッキングされていない位置におけるスプレイヘッドを示す水栓の斜視図である。
【図５】図４および図５は本発明の実施形態に従う、ドッキング位置およびドッキングされていない位置におけるスプレイヘッドを示す水栓の斜視図である。
【図６ａ】図６ａは本発明の実施形態に従う、スプレイヘッドの側方断面図である。
【図６ｂ】図６ｂおよび図６ｃは図６ａのスプレイヘッドの実施形態の前方断面図であり、スプレイヘッドの通気モードおよびシャワースプレイモードにおける未濾過水の走路を示している。
【図６ｃ】図６ｂおよび図６ｃは図６ａのスプレイヘッドの実施形態の前方断面図であり、スプレイヘッドの通気モードおよびシャワースプレイモードにおける未濾過水の走路を示している。
【図６ｄ】図６ｄは図６ａ−図６ｃのスプレイヘッドの実施形態の前方断面図であり、スプレイヘッドの濾過水の出水モードにおける濾過水の走路を示している。
【図６ｅ】図６ｅは図６ａ−図６ｄのスプレイヘッドの実施形態の部分断面図であり、濾過水の出水モードにおける濾過水の走路の部分を示している。
【図６ｆ】図６ｆは図６ａ−図６ｅのスプレイヘッドの実施形態の部分断面図であり、スプレイヘッドが濾過水の出水モードにあるときの未濾過水の走路の切断を示している。
【図６ｇ】図６ｇは図６ａ−図６ｆのスプレイヘッドの実施形態の部分断面図であり、スプレイヘッドが通気またはシャワースプレイモードのどちらかにあるときの濾過水の走路の切断を示している。
【図６ｈ】図６ｈは濾過水のアクティベーションスイッチおよび未濾過水の出水選択スイッチの種々の状態を示し、かつ図６ａ−図６ｇに示されるスプレイヘッドの実施形態の出水モードに相当する表を示す。
【図７】図７および図８は本発明の実施形態に従う、スプレイヘッドの前方図および部分前方図である。
【図８】図７および図８は本発明の実施形態に従う、スプレイヘッドの前方図および部分前方図である。
【図９ａ】図９ａは本発明の実施形態に従う、閉鎖状態にあるダイバータ装備Ｔ字コネクタに連結されたマルチチャネルホースの断面図である。
【図９ｂ】図９ｂは図９ａに示されたマルチチャネルホースおよびダイバータ装備Ｔ字コネクタの実施形態の分解図である。
【図９ｃ】図９ｃおよび図９ｄは図９ａおよび図９ｂに示されたダイバータ装備Ｔ字コネクタの実施形態の断面図であり、閉鎖状態および開放状態にあるＴ字コネクタを示している。
【図９ｄ】図９ｃおよび図９ｄは図９ａおよび図９ｂに示されたダイバータ装備Ｔ字コネクタの実施形態の断面図であり、閉鎖状態および開放状態にあるＴ字コネクタを示している。
【図１０】図１０は本発明の実施形態に従う、一体化濾過システムを有する水栓の斜視図である。
【発明を実施するための形態】
【００１６】
図１は、一体化濾過システムを有する代表的な水栓１００の前方図である。図２は、一体化水栓濾過システム中の濾過水および未濾過水の流れを示す概略図である。水栓１００は、シンクデッキ上に載っている支持ベース１０２、支持ベース１０２上に配置された水栓本体１０４、出水を制御するためのハンドル１０６、本体１０４に機械的に連結されたスパウト１０８、およびスパウト内に少なくとも部分的に配置されたマルチチャネルホース２００の一端部に流体連結されたスプレイヘッド１１０を含んでいる。スプレイヘッド１１０は、濾過水のアクティベーションスイッチ１１１および未濾過水の出水選択スイッチ１１３を含んでいる。マルチチャネルホース２００は、スパウト１０８、本体１０４、支持ベース１０２、およびシンクデッキを通り、およびその他端部に、ダイバータ装備Ｔ字コネクタ３００のブランチ３０１に流体連結されている。温水供給ホース１５１は、温水源と本体１０４内に配置されたバルブ組立体カートリッジ１０１の間に流体連結されている。Ｔ字コネクタ１７０のブランチ１７１は、冷水源に連結され、ブランチ１７２は、バルブ組立体カートリッジ１０１に通じる冷水源ホース１５２に連結され、およびブランチ１７３は、圧力調節器１８２に通じるホース１８０に連結される。圧力調節器１８２は、今度は、ホース１８６を介してフィルタ組立体１８４に流体連結される。フィルタ組立体１８４は、浄水のために適切な任意の材料を採用し得る（例えば、活性炭マイクロフィルタ）。圧力調節器１８２は、フィルタ組立体１８４内に通じる冷水圧を調節するように構成され、フィルタ特性を最適化する。
【００１７】
混合水ホース１９０は、バルブ組立体カートリッジ１０１とダイバータ装備Ｔ字コネクタ３００の間に流体連結される。ダイバータ装備Ｔ字コネクタ３００のブランチ３０３は、ホース１８８を介して、フィルタ組立体１８４に連結される。図１および図２に示されるように、温水源からの未濾過温水は、温水供給ホース１５１を介してバルブ組立体カートリッジ１０１に送出される。冷水源からの未濾過冷水は、Ｔ字コネクタ１７０に送出され、およびホース１８０を介して圧力調節器１８２に、および冷水源ホース１５２を介してバルブ組立体カートリッジ１０１に、実質的に送出される。フィルタ組立体１８４によって出水された濾過水は、ホース１８８を介してダイバータ装備Ｔ字コネクタ３００に送出される。未濾過温水および冷水は、バルブ組立体カートリッジ１０１において混合され（例えば、ハンドル１０６の位置に応じて）、および混合水ホース１９０を介してダイバータ装備Ｔ字コネクタ３００に送出される。濾過水および未濾過水は、それから、ダイバータ装備Ｔ字コネクタ３００からマルチチャネルホース２００を介してスプレイヘッド１１０に最終的に送出される。
【００１８】
図３は、マルチチャネルホース２００の断面図である。マルチチャネルホース２００は、柔軟で、軽量の材料で構成され得、および２つの中心が同じである層−内側層２０２および外側層２０４を含んでいる。内側層２０２は、濾過水用の水路として役に立つトンネル２１０を提供し、および内側層２０２と外側層２０４の間のトンネル２２０は、未濾過水用の水路を形成する。
【００１９】
図４および図５は、水栓１００の斜視図であり、ドッキング位置およびドッキングされていない位置におけるスプレイヘッド１１０を示している。図６ａは、スプレイヘッド１１０の側方断面図である。図６ｂおよび図６ｃは、スプレイヘッド１１０の前方断面図であり、スプレイヘッド１１０の通気およびシャワースプレイモードにおける未濾過水の走路を示している。図６ｄは、スプレイヘッド１１０の前方断面図であり、スプレイヘッド１１０の濾過水の出水モードにおける濾過水の走路を示している。図６ｅは、スプレイヘッド１１０の部分断面図であり、濾過水の出水モードにおける濾過水の走路の部分を示している。図６ｆは、スプレイヘッド１１０の部分断面図であり、スプレイヘッド１１０が濾過水の出水モードにあるときの未濾過水の走路の切断を示している。図６ｇは、スプレイヘッド１１０の部分断面図であり、スプレイヘッド１１０が通気またはシャワースプレイモードのいずれかにあるときの濾過水の走路の切断を示している。図６ｈは、濾過水のアクティベーションスイッチ１１１および未満濾過水の出水選択スイッチ１１３の種々の状態を示し、かつスプレイヘッド１１０の対応する出水モードを示している。図７および図８は、スプレイヘッド１１０の前方および部分前方図を示している。
【００２０】
スプレイヘッド１１０は、濾過水および未濾過水をマルチチャネルホース２００の各々のトンネル２１０および２２０から受容するための水路１１４および１１６を含んでいる。水路１１４および１１５は、スプレイヘッド１１０の螺子付きカプラ１１２から、２つのタイプの水を分配するスプレイヘッド１１０の補足的な出水構成要素−通気１１９およびシャワースプレイ出口１２１−にスプレイヘッド１１０において内部を延びる。マルチチャネルホース２００は、螺子付きカプラ１１２に連結するための補足的な螺子を有するボンネット２２１（例えば、マルチチャネルホース２００の端部に取り付けられた）を含んでいる。１以上のシール構成要素は、また、ボンネット２２１と螺子付きカプラ１１２の間の接続をシールするために含まれ、水漏れを抑制する。
【００２１】
通気装置１１９は、スプレイヘッド１１０の出水端部で中心に配置され、未濾過水を出水するためにマルチ通気装置出口１１９ｕを含んでいる。出口１１９ｕは、通気装置１１９の異なり、かつ別個の濾過水出口１１９ｆの周囲を囲むように配列される。シャワースプレイ出口１２１は、また、スプレイヘッド１１０の出水端部に配置され、および未濾過水を出水するためのマルチスプレイノズル１２１ｕを含んでいる。ノズル１２１ｕは、通気装置１１９の概ね周囲を取り囲むように配列される。
【００２２】
濾過水のアクティベーションスイッチ１１１および未濾過水の出水選択スイッチ１１３は、水路１１４および１１６を通る濾過水および未濾過水の通路を調節するように操作され得る。図６ａおよび図６ｅ−図６ｇに示されるように、アクティベーションスイッチ１１１は、ピストン１１１ｐ、シーリングＯリング１１１ｒ、および、ガイドピン１１１ｇを覆い配置されるばね１１１ｓを含むピストン半組立体に連結される。アクティベーションスイッチ１１１の作動（例えば、アクティベーションスイッチ１１１をスプレイヘッド１１０内に押すことによって）は、スプレイヘッド１１０を濾過水の出水モードに切り替える。少なくとも１つの実施形態において、アクティベーションスイッチ１１１は、ボタンを続いて押すことで押された状態から解放され得る、ばね仕掛けのプッシュボタンである。
【００２３】
選択スイッチ１１３は、ピストン１１３ｐ、シーリングＯリング１１３ｒ、およびガイドピン１１３ｇを覆い配置されるばね１１３ｓを含むピストン半組立体に同様に連結される。選択スイッチ１１３の上側部分１１３ａの作動（例えば、上側部分１１３ａをスプレイヘッド内に押すことによって）は、スプレイヘッド１１０を未濾過水のシャワースプレイモードに切り替える。選択スイッチ１１３の下側部分１１３ｂの作動（例えば、下側部分１１３ｂをスプレイヘッド１１０内に押すことによって）は、スプレイヘッド１１０を未濾過水の通気モードに切り替える。
【００２４】
濾過水の出水モードと任意の未濾過水の出水モードの間の切り替えは、ピストン１１１ｐと１１３ｐの間に連結されたレバー１１２によって達成される。レバー１１２は、ポイント１１２ｐの周りを旋回可能であり、およびピストン１１１ｐおよび／またはアクティベーションスイッチ１１１と相互作用する上側端部、およびピストン１１３ｐおよび／または選択スイッチ１１３と相互作用する下側端部を含んでいる。アクティベーションスイッチ１１１が押された状態にあるとき（およびスプレイヘッド１１００が濾過水の出水モードにある）、選択スイッチ１１３の続いて押すことは（例えば、上側部分１１３ａまたは下側部分１１３ｂで）、レバー１１２が、時計回りの方向に回転し、かつアクティベーションスイッチ１１１を押された状態から押されていない（例えば、中立、またはリセット）状態に動かすことを生じる。これは、選択スイッチ１１３の部分が押されることに応じ、スプレイヘッド１１０を濾過水の出水モードから未濾過水の通気モードまたは未濾過水のシャワースプレイモードのいずれかに切り替える。逆に、選択スイッチ１１３が押された状態にあるとき（例えば、上側部分１１３ａが、未濾過水のシャワースプレイモードにおいてスプレイヘッド１１０で押された状にあるとき、または、下側部分１１３ｂが、未濾過水の通気モードにおいてスプレイヘッドで押された状態にあるとき）、アクティベーションスイッチ１１１の続いて押すことは、レバー１１２が反時計回りの方向に回転し、かつ選択スイッチ１１３をその押された状態から押されていない（例えば、中立、またはリセット）状態に動かすことを生じる。これは、スプレイヘッド１１０を未濾過水（通気、またはシャワースプレイ）のモードから濾過水の出水モードに切り替える。
【００２５】
選択スイッチ１１３（およびその関連する構成要素）は、上側部分１１３ａが押されたとき未濾過水の通気モードに、および下側部分１１３ｂが押されたとき未濾過水のシャワースプレイモードに、スプレイヘッド１１０を設定するように代替的に構成され得る。
【００２６】
図６ｂおよび図６ｃは、スプレイヘッド１１０のシャワースプレイおよび通気スプレイモードにおいて未濾過水の走行路（矢印１２６によって示された）をそれぞれ示している。図６ｄは、濾過水の出水モードにおいて濾過水の走行路（矢印１４６によって示された）を示している。
【００２７】
選択スイッチ１１３が上側部分１１３ａで押されるとき、未濾過水はシャワースプレイ出口１２１のノズル１２１ｕを介して出水のため通路１１６のチャネル１１６ｓに分流される（図６ｂ）。選択スイッチ１１３が下側部分１１３ｂで押されるとき、未濾過水通路１１６中の未濾過水は通気装置１１９の出口１１９ｕを介して出水のため通路１１６のチャネル１１６ａに分流される（図６ｃ）。シャワースプレイおよび通気モードの間の分流は、選択スイッチ１１３の１以上の可動アームのような、選択スイッチ１１３の（または連結された）１以上の構成要素を介して達成される。構成要素は、上側部分１１３ａが押されるとき未濾過水の通路１１６の中の未濾過水をチャネル１１６ａに入ることから防ぎ、および下側部分１１３ｂが押されるとき未濾過水の通路１１６の中の未濾過水をチャネル１１６ｓに入ることを防ぐ。どちらにしても、濾過水の通路１１４内に存在し得る任意の濾過水は、通気装置１１９の濾過水の出口１１９ｆを介して出水のため通路１１４のチャネル１１４ａに入ることから（例えば、ピストン１１１ｐによって）防がれる（図６ｇ）。
【００２８】
アクティベーションスイッチ１１１が第１の状態（例えば、押された状態）にセットされるとき、濾過水の通路１１４の中の濾過水は、濾過水の出口１１９ｆを介して出水のためチャネル１１４ａに分流される（図６ｄおよび図６ｅ）。この場合において、未濾過水の通路１１６内に存在し得る任意の未濾過水は任意のチャネル１１６ａ、出口１１９ａ、チャネル１１６ｓ、およびシャワースプレイノズル１２１ｕに入ることから（例えば、ピストン１１３ｐによって）防がれる（図６ｆ）。アクティベーションスイッチ１１１が押された状態から、例えば、選択スイッチ１１３の押すことによってのような、押されていない（例えば、リセット、中立、または解放された）状態に切り替えられるとき、未濾過水は、選択スイッチ１１３の部分が押されることに応じて、チャネル１１６ａ（出口１１９ｕによって出水のため）、またはチャネル１１６ｓ（ノズル１２１ｕによって出水のため）のいずれかに入ることを許され、および濾過水の通路１１４の中の濾過水が濾過水の出口１１９ｆを介して出水のためチャネル１１４ａに入ることから防がれる（図６ｇ）。
【００２９】
図９ａは、閉鎖状態におけるダイバータ装備Ｔ字コネクタ３００に連結されたマルチチャネルホース２００の断面図である。図９ｂは、マルチチャネルホース２００およびダイバータ装備Ｔ字コネクタ３００の分解図である。図９ｃおよび図９ｄは、閉鎖状態および開放状態におけるダイバータ装備Ｔ字コネクタ３００の断面図である。ブランチ３０１−３０３の各々は、ホース１８８、１９０およびマルチチャネルホース２００の相当する１つに螺子連結および流体連結するために、螺子付き継手ヘッド（螺子付き継手ヘッド３０１ａ、３０２ａ、および３０３ａ）を含んでいる。ブランチ３０３は、ホース１８８から受容される濾過水を通過させるために濾過水路３０３ｗを含んでいる。ブランチ３０２は、混合水ホース１９０から未濾過水を通過させるために未濾過水路３０２ｗを含んでいる。ブランチ３０１は、マルチチャネルホース２００の濾過水のトンネル２１０に相補的に連結する濾過水通路３０１ｆ、およびマルチチャネルホース２００の未濾過水のトンネル２２０に相補的に連結する未濾過水通路３０１ｕを含んでいる。
【００３０】
図９ａおよび図９ｂに示されるように、マルチチャネルホース２００は、ブランチ３０１の螺子付き継手ヘッド３０１ａに螺合可能で流体連結するボンネット２２２を含んでいる。ホース２００は、また、組立てられるときにホース２００とブランチ３０１の間の水接続を形成および／またはシールする、Ｏリング２３１、アダプタ２３２、フェルール２３３、ワッシャ２３４、および返し２３５に加えて、ホース２００とブランチ３０１の間の水路接続をシールするためのワッシャ（例えば、ゴムなどで構成され得る）を含んでいる。
【００３１】
ダイバータ装備Ｔ字コネクタ３００の分流機構は、ヘッド３２０ｈおよびロッド３２０ｒを有するピストン３２０を含んでいる。ピストン３２０は、ばね３３０によって前負荷され、およびＯリング３１９および３２９によってヘッド３２０ｈおよびロッド３２０ｒでシールされる。ダイバータ装備Ｔ字コネクタ３００の閉鎖状態において（例えば、カートリッジ１０１が閉鎖されたとき）、未濾過水はブランチ３０２に送出されず、および水路３０３ｗの中に濾過水の圧力（矢印３０３ｘによって示された）がばね力に打ち勝つことができない（図９ｃ）。この概要において、ピストン３２０は、図９ａおよび図９ｃに示されるように前負荷され残り（つまり、ブランチ３０２の開放端部の最も近くに配置されるヘッド３２０ｈ、および水路３０３ｗ中の濾過水を濾過水通路３０１ｆに入ることからブロックするように配置されたピストン３２０のロッド３２０ｒと共に）、および水（濾過または未濾過）は、マルチチャネルホース２００に出水しない。ダイバータ装備Ｔ字コネクタ３００の開放状態において（例えば、カートリッジ１０１が開放されたとき）、未濾過水は、混合水ホース１９０からブランチ３０２に送出され、未濾過水の圧力（矢印３０２ｘによって示される）は、ピストン３２０のヘッド３２０ｈを右に動かし、およびヘッド３２０ｈの反対側上の水路３０２ｗ内へ、ヘッド３２０ｈの中の通路３２０ｐに入り、および水路３０３ｗ中の濾過水（矢印３０３ｘによって示された）は、ピストン３２０内の開口に入る（図９ｄ）。濾過水および未濾過水は、マルチチャネルホース２００に出水のため、濾過および未濾過水通路３０１ｆおよび３０１ｕ内にそれぞれ流れる。カートリッジ１０１は、続いて閉鎖されたとき、未濾過水は、ブランチ３０２に送出されず、およびバネ３３０はピストン３２０をその閉鎖位置に戻す。
【００３２】
ダイバータ装備Ｔ字コネクタ３００の開放状態において、未濾過水単独の圧力、または未濾過水および濾過水の双方の圧力の組み合わせのいずれかは、ばね力に打ち勝つことは、理解されることである。
【００３３】
スプレイヘッドが、通気装置またはシャワースプレイ出口の両方でなく、いずれかを代替的に含み得ることは理解されることである。図１０は、水栓１０００の斜視図であり、ドッキング位置およびドッキングされていない位置におけるスプレイヘッド１０１０を示している。図４および図５のスプレイヘッド１１０と対照的に、スプレイヘッド１０１０は、濾過水のアクティベーションスイッチ１０１１を有しているが、未濾過水の出水選択スイッチ（または、その関連する内部構成要素ではない）を含んでいない。スプレイヘッド１０１０は、また、未濾過水のために１つだけ出水を含んでいる（例えば、通気出口を有する通気装置だけ、またはノズルを有するシャワースプレイ出口だけ）。したがって、スプレイヘッド１０１０内の未濾過の水路トンネルは、スプレイヘッド１０１０内での分流機構が不必要で、１つの出水に連続的に流体連結される。
【００３４】
したがって、一体化水栓濾過システムは、濾過水を分配するための独立のサイド水栓が不要となり、および保守が容易なシンクデッキ環境を提供する、濾過水の出水性能を備えるプルアウトまたはプルダウンスプレイヘッドを有利に装備する。
【００３５】
マルチチャネルホース、スプレイヘッド、ダイバータ装備T字コネクタのそれぞれの中の種々の濾過および未濾過の水路およびトンネルは、互いに分離しており、したがって、システムの至る所で２つのタイプの水の相互汚染を防止する。
【００３６】
したがって、前述から明白とされる、様相、特徴、および利点は効率よく達成され、および、ある種の変更は、本発明の趣旨および範囲から逸脱することなく、行われ得るので、本明細書に含まれる全ての事項は、例証として、かつ限定する意味でないものとして解釈されることは、わかるだろう。
【００３７】
次の請求項が、本明細書で記載された本発明の包括的および具体的な特徴の全て、および、言葉の意義がその包括的および具体的な特徴の間に入るといえる、発明の範囲の述べていることの全て、を包含するように意図されることも理解される。
【図１】
2018537602.tif 000003
【図２】
2018537602.tif 000004
【図３】
2018537602.tif 000005
【図４】
2018537602.tif 000006
【図５】
2018537602.tif 000007
【図６ａ】
2018537602.tif 000008
【図６ｂ】
2018537602.tif 000009
【図６ｃ】
2018537602.tif 000010
【図６ｄ】
2018537602.tif 000011
【図６ｅ】
2018537602.tif 000012
【図６ｆ】
2018537602.tif 000013
【図６ｇ】
2018537602.tif 000014
【図６ｈ】
2018537602.tif 000015
【図７】
2018537602.tif 000016
【図８】
2018537602.tif 000017
【図９ａ】
2018537602.tif 000018
【図９ｂ】
2018537602.tif 000019
【図９ｃ】
2018537602.tif 000020
【図９ｄ】
2018537602.tif 000021
【図１０】
2018537602.tif 000022
【国際調査報告】
2018537602.tif 000023